(57)【特許請求の範囲】
【請求項１】
屋外デッキの床板と該床板の周囲に沿って所定間隔で立設される複数本の柱を有する手すり構造であって、
前記柱は、隣合う柱との対向面に、該柱の幅方向中央に且つ長手方向に沿って設けられる縦方向溝と、該縦方向溝と直角に設けられる前記床板と平行な横方向溝とを有するとともに、前記縦方向溝と前記横方向溝の直交部に前記床板と平行に盲穴が設けられ、
隣合う前記柱に接続されるとともに、隣合う柱の前記横方向溝に両端が嵌合され且つ上面に溝を有する桟が設けられ、
該桟の溝と前記柱の前記縦方向溝に方形のラチス或いはクロスの左右辺及び下辺の３辺が嵌合され、
前記柱の上面に回り縁が架設され、
前記床板の裏面から前記柱に上向きにボルトが挿入されるとともに前記盲穴に座金付きナットが挿入され、
前記床板裏面から前記柱に上向きに挿入されてなるボルトと、前記盲穴に挿入された座金付きナットを螺合することにより前記床板と前記柱が固定されてなることを特徴とする屋外デッキの手すり構造。
【請求項２】
前記座金付きナットの座金部にガイド板が取り付けられてなることを特徴とする請求項１記載の屋外デッキの手すり構造。
【請求項３】
前記盲穴が方形であることを特徴とする請求項１記載の屋外デッキの手すり構造。
【請求項４】
前記座金付きナットが、前記盲穴に予め固着一体化されてなることを特徴とする請求項１記載の屋外デッキの手すり構造。
【発明の詳細な説明】
【０００１】
【発明の属する技術分野】
この発明は、屋外デッキの手すり構造及びこの構造に使用する金具に係り、その目的は屋外の庭等に家屋から延出される屋外デッキに、簡単且つ短時間で組立てられ、しかも強度に優れ、外観上の見栄えもよい屋外デッキの手すり構造及びこの構造に使用する金具を提供することにある。
【０００２】
【従来の技術】
従来、屋外の庭等に家屋から延出される屋外デッキに設けられる手すりは、図１１に示すように、地中に柱を埋め込んで設置されていた。或いは、手すりの柱を屋外デッキの床板にアングル等の金具で固定することにより手すりを設置したものも存在した。
【０００３】
【発明が解決しようとする課題】
しかしながら、前記したような地中に柱を埋め込む設置構造では、施工性が悪く施工作業には熟練を要するという課題が存在した。また、手すりの柱を屋外デッキの床板にアングル等の金具で固定する構造では、金具が露出しているため見栄えが悪いという課題が存在した。
【０００４】
【課題を解決するための手段】
この発明は上記課題を解決するためになされたものであって、請求項１の屋外デッキの手すり構造では、屋外デッキの床板と該床板の周囲に沿って所定間隔で立設される複数本の柱を有する手すり構造であって、前記柱は、隣合う柱との対向面に、該柱の幅方向中央に且つ長手方向に沿って設けられる縦方向溝と、該縦方向溝と直角に設けられる前記床板と平行な横方向溝とを有するとともに、前記縦方向溝と前記横方向溝の直交部に前記床板と平行に盲穴が設けられ、隣合う前記柱に接続されるとともに、隣合う柱の前記横方向溝に両端が嵌合され且つ上面に溝を有する桟が設けられ、該桟の溝と前記柱の前記縦方向溝に方形のラチス或いはクロスの左右辺及び下辺の３辺が嵌合され、前記柱の上面に回り縁が架設され、前記床板の裏面から前記柱に上向きにボルトが挿入されるとともに前記盲穴に座金付きナットが挿入され、前記床板裏面から前記柱に上向きに挿入されてなるボルトと、前記盲穴に挿入された座金付きナットを螺合することにより前記床板と前記柱が固定されてなることとした。請求項２の屋外デッキの手すり構造では、請求項１において前記座金付きナットの座金部にガイド板が取り付けられてなることとした。請求項３の屋外デッキの手すり構造では、請求項１において前記盲穴が方形であることとした。請求項４の屋外デッキの手すり構造では、請求項１において前記座金付きナットが、前記盲穴に予め固着一体化されてなることとした。請求項５の屋外デッキの手すり構造に使用する金具では、前記座金付きナットの座金部にガイド板が取り付けられてなることとした。
【０００５】
【発明の実施の形態】
以下、本発明に係る屋外デッキの手すり構造及びこの構造に使用する金具について、図面を参照しつつ説明する。図１乃至図５は、本発明に係る屋外デッキの手すり構造の実施形態の一例を示す。本発明に係る屋外デッキの手すり１は、床板２と、該床板２上に所定間隔で配設され且つ隣合う柱との対向面中央に縦方向の溝３ａと床板と平行な横方向溝３ｂとを有し更に前記両溝の直交部に床板と平行に盲穴３ｃが設けられてなる柱３と、前記床板と平行な横方向溝３ｂに両端が嵌合された上面に溝４ａを有する桟４と、該桟の溝４ａと前記柱の縦方向溝３ａとに３辺が嵌合されてなる方形のラチス５或いはクロス６と、前記柱の上面に架設される回り縁７と、前記床板裏面から柱に上向きに挿入されてなるボルト８と、前記盲穴に挿入された座金付きナット９からなる。
【０００６】
この屋外デッキの手すり１は以下の施工方法で組立てられる。先ず床板２裏面から柱３に上向きにボルト８を、柱３の盲穴３ｃから座金付きナット９をそれぞれ挿入し、両者を螺合させることにより、床板２と柱３を固定する。（図２参照）
次に、隣合う柱を接続するように、桟４の両端を溝４ａが上を向くようにして柱３に設けられた床板と平行な横方向溝３ｂに嵌合する。（図３参照）
その後、ラチス５或いはクロス６を、前記桟の溝４ａと前記縦方向溝３ａとに３辺が嵌合されるように取り付ける。（図４参照）
そして最後に、回り縁７を前記柱３の上面に架設することにより完成する。（図５参照）
尚、図１乃至図５では図示していないが、床板２の下部には床板２を屋内面と略同高さになるように地面から浮かすための構造（例えば、特開平５−２５５９６８号公報、或いは、特開平６−２２９０１６号公報により提示された構造）が存在しているのは言うまでもない。
【０００７】
図６は、上記施工方法における、座金付きナット９を柱３の盲穴３ｃから挿入する様子を表す図である。床板２裏面から柱３に鉛直上向きに挿入されてきたボルト８に対し、座金付きナット９を図示した如く挿入し、両者を螺合させることにより、床板２と柱３を固定する。ここで、座金付きナット９の形状については特に限定されないが、図に示すような方形が好適に使用される。また、座金付きナット９は、図７の断面図に示すようにナットのねじ穴より座金の穴が大きいことが望ましい。ナットのねじ穴より座金の穴を大きくすることにより、座金の穴がボルトに対してガイドの役割を果たし、ボルトとナットを螺合し易くなる。ボルト、ナットの螺合後は、前述したように横方向溝３ｂに桟が嵌合されるため、床板と柱の固定に要した金具は、組立て後においては全く露出されず、外観上優れたものとなる。
【０００８】
図８及び図１０は、座金付きナット９を柱３の盲穴３ｃから挿入する様子を表す別の例である。図８における座金付きナット９は、ガイド部９ａを有する。（図９に断面図を示す。）
このガイド部９ａは、接着、溶着等の任意の手段で座金に取付けられる。このように、座金にガイド部を取り付けることにより、座金付きナット９の盲穴３ｃからの挿入及びボルト８との螺合作業が容易になる。また図１０においては、盲穴３ｃは方形となっている。このように、盲穴３ｃを方形とすることにより、穴の底面及び側面が、座金付きナット９を盲穴３ｃに挿入する際のガイド及び位置決めの役割を果たす。従って、座金付きナット９の盲穴３ｃからの挿入及びボルト８との螺合作業が容易且つ短時間で行えるようになる。
【０００９】
また、座金付きナット９を、柱３の盲穴３ｃに予め固着一体化しておくこともできる。予め一体化しておくことにより、上述したような、挿入、位置決めの手間を省くことができ、床板と柱の固定作業が容易になるとともに、作業効率を大幅に向上させることができる。
【００１０】
【発明の効果】
以上説明したように、請求項１に係る発明は、屋外デッキの床板と該床板の周囲に沿って所定間隔で立設される複数本の柱を有する手すり構造であって、前記柱は、隣合う柱との対向面に、該柱の幅方向中央に且つ長手方向に沿って設けられる縦方向溝と、該縦方向溝と直角に設けられる前記床板と平行な横方向溝とを有するとともに、前記縦方向溝と前記横方向溝の直交部に前記床板と平行に盲穴が設けられ、隣合う前記柱に接続されるとともに、隣合う柱の前記横方向溝に両端が嵌合され且つ上面に溝を有する桟が設けられ、該桟の溝と前記柱の前記縦方向溝に方形のラチス或いはクロスの左右辺及び下辺の３辺が嵌合され、前記柱の上面に回り縁が架設され、前記床板の裏面から前記柱に上向きにボルトが挿入されるとともに前記盲穴に座金付きナットが挿入され、前記床板裏面から前記柱に上向きに挿入されてなるボルトと、前記盲穴に挿入された座金付きナットを螺合することにより前記床板と前記柱が固定されてなることを特徴とする屋外デッキの手すり構造であるから、以下に述べる効果を奏する。即ち、従来のように手すりの柱を地中に埋め込んだりするものでないから、屋外の庭等に家屋から延出されている屋外デッキに、簡単且つ短時間で取り付けることができる。また、アングル等のような外側からの固定手段を用いず、固定具が柱内部に格納される構造であるから、外観上の見栄えが優れたものとなる。更に、ボルト、ナットの螺合による固定手段を用いているため、強度に優れた手すりとなる。
【００１１】
請求項２に係る発明は、前記座金付きナットの座金部にガイド板が取り付けられてなる請求項１記載の屋外デッキの手すり構造であるから、以下に述べる効果を奏する。即ち、請求項１の奏する効果に加えて、座金にガイド部を取り付けることにより、座金付きナットの盲穴からの挿入及びボルトとの螺合作業が容易になる。
【００１２】
請求項３に係る発明は、前記盲穴が方形である請求項１記載の屋外デッキの手すり構造であるから、以下に述べる効果を奏する。即ち、請求項１の奏する効果に加えて、盲穴を方形とすることにより、穴の底面及び側面が、座金付きナットを盲穴に挿入する際のガイド及び位置決めの役割を果たし、座金付きナットの盲穴からの挿入及びボルトとの螺合作業が容易且つ短時間で行えるようになる。
【００１３】
請求項４に係る発明は、前記座金付きナットが、前記盲穴に予め固着一体化されてなる請求項１記載の屋外デッキの手すり構造であるから、以下に述べる効果を奏する。即ち、請求項１の奏する効果に加えて、座金付きナットを柱の盲穴に予め固定一体化しておくことにより、座金付きナットの盲穴への挿入、位置決めの手間を省くことができ、床板と柱の固定作業が容易になるとともに、作業効率を大幅に向上させることができる。
【図面の簡単な説明】
【図１】本発明に係る屋外デッキの手すり構造の実施形態の一例を示す図である。
【図２】本発明に係る屋外デッキの手すり構造の施工方法を示す図である。
【図３】本発明に係る屋外デッキの手すり構造の施工方法を示す図である。
【図４】本発明に係る屋外デッキの手すり構造の施工方法を示す図である。
【図５】本発明に係る屋外デッキの手すり構造の施工方法を示す図である。
【図６】本発明に係る屋外デッキの手すり構造の座金付きナットを柱の盲穴から挿入する様子を表す図である。
【図７】本発明に係る屋外デッキの手すり構造の座金付きナットの断面図である。
【図８】本発明に係る屋外デッキの手すり構造の座金付きナットを柱の盲穴から挿入する様子の別の例を表す図である。
【図９】本発明に係る屋外デッキの手すり構造の座金付きナットの断面図である。
【図１０】本発明に係る屋外デッキの手すり構造の座金付きナットを柱の盲穴から挿入する様子の別の例を表す図である。
【図１１】従来の屋外デッキの手すり構造の例を示す図である。
【符号の説明】
１ 屋外デッキの手すり
２ 床板
３ 柱
３ａ 縦方向溝
３ｂ 床板と平行な横方向溝
３ｃ 盲穴
４ 桟
４ａ 桟に設けられた溝
５ ラチス
６ クロス
７ 回り縁
８ ボルト
９ 座金付きナット
９ａ ガイド部
【図１】
0003543241.tif 000002
【図２】
0003543241.tif 000003
【図３】
0003543241.tif 000004
【図４】
0003543241.tif 000005
【図５】
0003543241.tif 000006
【図６】
0003543241.tif 000007
【図７】
0003543241.tif 000008
【図８】
0003543241.tif 000009
【図９】
0003543241.tif 000010
【図１０】
0003543241.tif 000011
【図１１】
0003543241.tif 000012